(57)【要約】      （修正有）【課題】  通気孔にホコリが溜まったり、ゴミが詰まったりするようなことはなく、屋内用の履物は勿論、屋外用の履物においても使用者の足裏を汚してしまうことなく、しかも通気が充分に行え、足裏の蒸れを充分に解消できる履物を提供する。【解決手段】  底部１の踵部１ａに、この踵部１ａを押圧操作することにより作動するエアポンプ３を配設し、このエアポンプ３に空気吸入用の逆止弁４を介して吸気口３ａを設けると共に、空気排出用の逆止弁５を介して排気口３ｂを設け、排気口３ｂに通気管６の一端を接続し、通気管６を底部１に配設し、この通気管６の他端に使用者の足裏に対応する部分に向けた噴出孔７を設け、エアポンプ３から送られた空気を前記噴出孔７から使用者の足裏に向けて噴出するようにしている。【選択図】    図２
2007054180.tif 000002
【特許請求の範囲】
【請求項１】
底部（１）の踵部（１ａ）に、この踵部（１ａ）を押圧操作することにより作動するエアポンプ（３）を配設し、このエアポンプ（３）に空気吸入用の逆止弁（４）を介して吸気口（３ａ）を設けると共に、空気排出用の逆止弁（５）を介して排気口（３ｂ）を設け、排気口（３ｂ）に通気管（６）の一端を接続し、通気管（６）を底部（１）に配設し、この通気管（６）の他端に使用者の足裏に対応する部分に向けた噴出孔（７）を設け、エアポンプ（３）から送られた空気を前記噴出孔（７）から使用者の足裏に向けて噴出するようにしたことを特徴とする履物。
【請求項２】
前記噴出孔（７）を、使用者の足裏の足指の付け根付近に対応する部分に複数個設けたものとしたことを特徴とする請求項１記載の履物。
【発明の詳細な説明】
【技術分野】
【０００１】
この発明は、足裏の蒸れを解消するようにしたスリッパ、サンダルなどの履物に関するものである。
【背景技術】
【０００２】
従来、この種の履物としては、例えば図４に示したように、履物本体の底部２１に多数の通気孔２２、２２、…を散在して設け、各通気孔２２は底部２１の上下面を貫通して設けたものが存在した（特許文献１）。
【０００３】
このように構成される履物は、通気性に優れており、使用に際して汗をかきやすい部位、すなわち足裏の所々が、通気孔２２内の新鮮な外気に常時触れるため、足裏の蒸れが解消され、履き心地が向上するという効果を有するものとなっている。
【特許文献１】特開平１０−３２７９０２号公報（第２頁、図１）
【発明の開示】
【発明が解決しようとする課題】
【０００４】
しかしながら、上記従来の履物では、長期間使用しているうちに、通気孔２２にホコリが溜まったり、ゴミが詰まって、通気孔２２の役目が果たせなくなるという問題点を有していた。
【０００５】
また、上記従来の履物では、通気孔２２にホコリが溜まったり、ゴミが詰まったりしないように、通気孔２２の径をある程度大きくしていたが、大きすぎると使用者の足裏の一部が嵌まり込んで使用感が損なわれるという問題点を有していた。
【０００６】
さらに、上記従来の履物では、通気孔２２の径を大きくすると、ホコリやゴミがその通気孔２２を通って、履物の表側に出てきてしまい、屋内用の履物は勿論、屋外用の履物においても、使用者の足裏を汚してしまうという問題点を有していた。
【０００７】
また、上記従来の履物では、通気孔２２からの自然通気によって足裏の蒸れが解消されるようにしているので、通気が不充分で足裏の蒸れを充分に解消できないという問題点を有していた。
【０００８】
そこで、この発明は、上記従来の問題点を解決することをその課題としており、通気孔にホコリが溜まったり、ゴミが詰まったりするようなことはなく、屋内用の履物は勿論、屋外用の履物においても使用者の足裏を汚してしまうことなく、しかも通気が充分に行え、足裏の蒸れを充分に解消できる履物を提供することを目的としてなされたものである。
【課題を解決するための手段】
【０００９】
そのため、この発明の履物は、底部１の踵部１ａに、この踵部１ａを押圧操作することにより作動するエアポンプ３を配設し、このエアポンプ３に空気吸入用の逆止弁４を介して吸気口３ａを設けると共に、空気排出用の逆止弁５を介して排気口３ｂを設け、排気口３ｂに通気管６の一端を接続し、通気管６を底部１に配設し、この通気管６の他端に使用者の足裏に対応する部分に向けた噴出孔７を設け、エアポンプ３から送られた空気を前記噴出孔７から使用者の足裏に向けて噴出するようにしている。
【００１０】
さらに、この発明の履物は、前記噴出孔７を、使用者の足裏の足指の付け根付近に対応する部分に複数個設けたものとしている。
【発明の効果】
【００１１】
この発明の履物は、以上に述べたように構成されているので、通気孔にホコリが溜まったり、ゴミが詰まったりするようなことはなく、屋内用の履物は勿論、屋外用の履物においても使用者の足裏を汚してしまうことなく、しかも通気が充分に行え、足裏の蒸れを充分に解消できるものとなる。
【発明を実施するための最良の形態】
【００１２】
以下、この発明の履物を実施するための最良の形態について、図面に基づき詳細に説明する。
【００１３】
図はこの発明の履物をスリッパに実施した形態を示しており、図１はそのスリッパの斜視図を示し、図２はそのスリッパの中央断面図を示し、図３はそのスリッパの底部の分解斜視図を示している。
【００１４】
図において、１はスリッパとしたこの発明の履物Ｆの底部であり、２はその履物Ｆの突っかけ部である。
【００１５】
前記履物Ｆの底部１の踵部１ａには、この踵部１ａを押圧操作することにより作動するエアポンプ３を配設している。このエアポンプ３は、空気吸入用の逆止弁４を介して吸気口３ａを設けると共に、空気排出用の逆止弁５を介して排気口３ｂを設けている。さらに、この排気口３ｂには、通気管６の一端を接続し、この通気管６を底部１の踵部１ａから爪先部１ｂ側に配設している。また、この通気管６の他端には、使用者の足裏に対応する部分に向けた少なくても一つの噴出孔７を設けている。そして、前記エアポンプ３から送られた空気を前記噴出孔７から使用者の足裏に向けて噴出するようにしている。なお、前記通気管６は、図示したものでは、使用者の足裏の最も蒸れ易い部分である足指の付け根付近に対応する部分に、幹線部６ａから枝分かれした分岐部６ｂを設け、この分岐部６ｂに前記噴出孔７を複数個設けたものとしている。
【００１６】
底部１は、上層体１１、下層体１２、中間層体１３および踵形成体１４からなり、下層体１２の上面後部に踵形成体１４を載せて接着し、この下層体１２と前記上層体１１の間に中間層体１３を挟み込むようにして、これらを重ね合わせている。さらに、底部１の上面は、カバー体８で覆われている。すなわち、カバー体８を上層体１１の上面に被せ、このカバー体８の周端を底部１の周縁に接着または縫着することにより、底部１の上面をカバー体８で覆うようにしている。
【００１７】
前記底部１を構成する上層体１１、下層体１２、中間層体１３および踵形成体１４は、何れも例えばエチレン酢酸ビニル共重合樹脂（ＥＶＡ）などの柔軟性に富んだ合成樹脂からなるものとしているが、踵形成体１４は柔軟性に富むと共にへたりにくい合成樹脂からなるものとするのが好ましい。
【００１８】
前記上層体１１は、エアポンプ３から送られた空気を通気管６の噴出孔７から使用者の足裏に向けて排出するように、その噴出孔７と連通する複数個の通気口１１ａが設けられている。なお、前記通気口１１ａも、噴出孔７と同様に使用者の足裏に対応する部分であれば特に限定されることはないが、使用者の足裏の最も蒸れ易い部分である足指の付け根付近に対応する部分に設けられるのが好ましい。
【００１９】
前記中間層体１３は、踵部１ａの位置にエアポンブ３の上部が嵌まり込む開口１３ａを形成し、この開口１３ａから爪先部１ｂ側にかけて通気管６の幹線部６ａが配設される中央スリット１３ｂを形成すると共にこの中央スリット１３ｂから枝分かれして通気管６の分岐部６ｂが配設される分岐スリット１３ｃを形成している。なお、前記分岐スリット１３ｃも、噴出孔７や通気口１１ａと同様に使用者の足裏に対応する部分であれば特に限定されることはないが、使用者の足裏の最も蒸れ易い部分である足指の付け根付近に対応する部分に形成されるのが好ましい。
【００２０】
前記踵形成体１４は、略馬蹄形状とし、この踵形成体１４内にエアポンブ３の下部が嵌まり込むようにして、下層体１２と中間層体１３の間に挟まれたものとしている。
【００２１】
前記突っかけ部２は、上面を適宜の表生地で覆われたものとしており、底部１の前部において、アーチ状に跨ぐようにしてその両側縁に縫着したものとしている。なお、図示した突っかけ部２は、先端部を開放したものとしているが、先端部を閉鎖したものとしてもよい。
【００２２】
前記エアポンプ３は、弾力性のある合成樹脂などの復元性を有する素材を用いて中空球体状に形成しており、歩行中に使用者の踵が踵部１ａについたときに押圧されて収縮し、使用者の踵が踵部１ａからはなれたときに押圧が解除されて拡張するようにしている。なお、前記エアポンプ３の表面には、必要に応じて、復元性を補助するためのリブ３ｃが放射状に設けられている。また、前記エアポンプ３は、図示していないが、側周面に複数の襞を形成した円筒蛇腹状に形成したものとすることもできる。
【００２３】
前記空気吸入用の逆止弁４は、エアポンプ３が収縮するときに閉鎖し、エアポンプ３が拡張するときに開放するようにしており、空気排出用の逆止弁５は、エアポンプ３が収縮するときに開放し、エアポンプ３が拡張するときに閉鎖するようにしている。すなわち、歩行中に使用者の踵が踵部１ａについたときに、エアポンプ３が押圧されて収縮し、空気吸入用の逆止弁４が閉鎖し、空気排出用の逆止弁５が開放して、エアポンプ３内の空気が排気口３ｂから通気管６に送られる。そして、歩行中に使用者の踵が踵部１ａからはなれたときに、エアポンプ３の押圧が解除されて拡張し、空気排出用の逆止弁５が閉鎖して、空気吸入用の逆止弁４が開放して、エアポンプ３内に空気が吸気口３ａから吸入される。
【００２４】
前記カバー体８は、特に素材が限定されることはないが、織物地、不織布、メッシュシートなど通気性を有するものとするのが好ましく、図示していないが立体メッシュシートとすれば、使用者の足裏との接触面積が小さくなり、より一層、通気性に優れたものとなる。
【００２５】
以上のように構成したこの発明の履物は、使用者が履いて歩行中に足を地につけたときは、使用者の踵によって踵部１ａが踏みつけられるので、エアポンプ３が押圧されて収縮する。すると、エアポンプ３の空気吸入用の逆止弁４が閉鎖し、空気排出用の逆止弁５が開放して、エアポンプ３内の空気が排気口３ｂから通気管６に送られる。そして、前記エアポンプ３内の空気は、通気管６の噴出孔７から噴出され、底部１の上層体１１の通気口１１ａから使用者の足指の付け根付近に排出される。
【００２６】
また、この発明の履物は、使用者が履いて歩行中に足を地から浮かせたときは、使用者の踵が踵部１ａから離れるので、エアポンプ３の押圧が解除されて拡張する。すると、エアポンプ３の空気排出用の逆止弁５が閉鎖し、空気吸入用の逆止弁４が開放して、エアポンプ３内に空気が吸気口３ａから吸入され、前記エアポンプ３は元の状態に戻る。
【００２７】
そして、この発明の履物は、使用者が履いて歩行中に再び足を地につけたときは、前記と同様にして、エアポンプ３内の空気が、通気管６の噴出孔７から噴出され、底部１の上層体１１の通気口１１ａから使用者の足指の付け根付近に排出されることになる。
【００２８】
すなわち、この発明の履物は、使用者が履いて歩行すると、歩行中に足を地につける度に、エアポンプ３に吸入された新しい空気が使用者の足指の付け根付近に排出されるので、通気性に非常に優れたものとなり、足裏の蒸れを充分に解消できるものとなる。
【００２９】
さらに、この発明の履物は、使用者の歩行中にではなく、腰を掛けている場合にも、使用者の踵で踵部１ａを押圧したり、使用者の踵を踵部１ａから浮かせたりすれば、前記と同様に、エアポンプ３内の空気が、通気管６の噴出孔７から噴出され、底部１の上層体１１の通気口１１ａから使用者の足指の付け根付近に排出されるので、足裏の蒸れを解消できるものとなる。
【００３０】
なお、図示したものは、スリッパについての実施形態であるが、この発明の履物は、スリッパ以外にも、サンダル、靴、その他各種の履物に実施できるのは言うまでもない。また、この発明の履物は、屋内用の履物に実施するのが好ましいが、屋外用の履物にも実施することができる。
【図面の簡単な説明】
【００３１】
【図１】この発明の履物の一実施形態を示す全体斜視図である。
【図２】図１に示すこの発明の履物の中央断面図である。
【図３】図１に示すこの発明の履物の底部の分解斜視図である。
【図４】従来の履物の一部切欠斜視図である。
【符号の説明】
【００３２】
１  底部
１ａ  踵部
３  エアポンプ
３ａ  吸気口
３ｂ  排気口
４  逆止弁
５  逆止弁
６  通気管
７  噴出孔
【図１】
2007054180.tif 000003
【図２】
2007054180.tif 000004
【図３】
2007054180.tif 000005
【図４】
2007054180.tif 000006